(57)【要約】【課題】コンクリート埋設物の孔内への水分の浸入を防止するとともに、水に触れても全部を破棄する必要がなく、かつコンクリート埋設物の孔の寸法誤差を吸収することができるコンクリート埋設物用止水弁を得る。【解決手段】コンクリート構造物２中に埋設されたスリーブ１の孔１ａ内に止水栓５を装着し、止水栓５は、止水栓本体３と、その軸部３ｂ及び孔１ａに装着される止水リング４とからなり、止水リング４は水膨潤性ゴムにより形成する。【選択図】　図１
2004019275.tif 000002
【特許請求の範囲】
【請求項１】
コンクリート構造物の外表面に開口した孔を備えて埋設されたコンクリート埋設物において、この孔内に装着され、止水栓本体と、水膨潤性の弾性体により形成され、止水栓本体と上記孔との間に装着される止水手段とからなることを特徴とするコンクリート埋設物用止水栓。
【請求項２】
止水栓本体は、鍔部と軸部からなり、軸部は鍔部側の先細り状の傾斜部と傾斜部の先端側に一体に形成された円柱状の円柱部とからなることを特徴とする請求項１記載のコンクリート埋設物用止水栓。
【請求項３】
止水栓本体は、無機質材からなることを特徴とする請求項１又は２記載のコンクリート埋設物用止水栓。
【請求項４】
止水栓本体は、セラミックス又はモルタルからなることを特徴とする請求項１〜３の何れかに記載のコンクリート埋設物用止水栓。
【請求項５】
止水手段は、先端側に先細り状の傾斜部を有することを特徴とする請求項１〜４の何れかに記載のコンクリート埋設物用止水栓。
【請求項６】
止水手段は、円筒状であることを特徴とする請求項１〜５の何れかに記載のコンクリート埋設物用止水栓。
【請求項７】
止水手段は、止水栓本体の軸部に装着することを特徴とする請求項２〜６の何れかに記載のコンクリート埋設物用止水栓。
【請求項８】
止水手段は、止水栓本体の軸部の傾斜部又は円柱部に装着することを特徴とする請求項２〜７の何れかに記載のコンクリート埋設物用止水栓。
【発明の詳細な説明】
【０００１】
【発明の属する技術分野】
この発明は、コンクリート構造物に埋設されるコンクリート埋設物用止水栓に係り、特にコンクリ−ト構造物内に埋設される金属部材（例えば、金属ナット、鉄筋など）を伴った埋設物の金属部材に係る止水に関するものである。
【０００２】
【従来の技術】
一般に、コンクリート構造物内には、ナット部材や鉄筋類などの金属部材を伴った継ぎ手、インサート器具、コンクリートセパレータなどの埋設物が埋設されている。又、コンクリート内に埋設される金属とコンクリート外表面との間に「カブリ」寸法を確保するために、モルタルなどの無機質材からなるスリーブを設けることが行われている。そして、これらの埋設物の内部側からの水分の浸入による腐食を防止するために、例えばスリーブに止水栓を装着する場合、止水栓に水を吸収して膨張する水膨潤剤を塗布することが、特開平７−３３１８６６号公報などに示されている。又、止水のためにゴムリングを用いるものが、特開平１０−８５７２号公報などに示されている。
【０００３】
【発明が解決しようとする課題】
上記したように、水膨潤剤を塗布した止水栓により止水することは効果的であるが、止水栓に水膨潤剤を塗布した場合、水に触れた止水栓は、水膨潤剤が反応して膨張することから、スリーブ等に装着できなくなり、この止水栓は破棄することとなって、不経済であった。又、止水栓と一体化された止水部材の場合、止水部材をスリーブに嵌着することになり、止水部材の寸法精度を高くする必要がある。又、水膨潤剤の塗布厚さにも注意が必要となった。
【０００４】
この発明は上記のような課題を解決するために成されたものであり、コンクリート埋設物内部への水の浸入を防止するとともに、水に触れても全部を破棄する必要がなく、経済的であり、またコンクリート埋設物の孔に寸法誤差があってもこれを吸収して密着させることができるコンクリート埋設物用止水栓を得ることを目的とする。
【０００５】
【課題を解決するための手段】
発明者らは、水膨潤性部材を装着した止水手段をスリーブ内に挿入装着する方法により、止水栓の装着に影響が生じないようにすることを見出した。
【０００６】
この発明の請求項１に係るコンクリート埋設物用止水栓は、コンクリート構造物の外表面に開口した孔を備えて埋設されたコンクリート埋設物において、この孔内に装着され、止水栓本体と、水膨潤性の弾性体により形成され、止水栓本体と上記孔との間に装着される止水手段とからなるものである。
【０００７】
請求項２に係るコンクリート埋設物用止水栓は、止水栓本体が、鍔部と軸部からなり、軸部は鍔部側の先細り状の傾斜部と傾斜部の先端に一体に形成された円柱状の円柱部とからなるものである。止水栓本体の軸部の傾斜部は、直線状あるいは曲線状である。
【０００８】
請求項３に係るコンクリート埋設物用止水栓は、止水栓本体が、無機質材からなるものである。
【０００９】
請求項４に係るコンクリート埋設物用止水栓は、止水栓本体が、セラミックス又はモルタルからなるものである。セラミックスは、例えば、アルミナセラミックスあるいはムライトである。
【００１０】
請求項５に係るコンクリート埋設物用止水栓は、止水手段が、先端側に先細り状の傾斜部を有するものである。止水手段の傾斜部は、直線状あるいは曲線状である。
【００１１】
請求項６に係るコンクリート埋設物用止水栓は、止水手段が、円筒状であるものである。コンクリート埋設物の孔径Ｄに対して、止水手段の長さＬはＤ×（０．５〜１．０）が望ましい。
【００１２】
請求項７に係るコンクリート埋設物用止水栓は、止水手段が、止水栓本体の軸部に装着されるものである。止水手段の外径ｄがコンクリート埋設物の孔径Ｄ以上の場合は、止水手段を止水栓本体の軸部の円柱部に装着する。止水手段と円柱部との間に接着剤を用いても良い。
【００１３】
請求項８に係るコンクリート埋設物用埋設物は、止水手段が、止水栓本体の軸部の傾斜部又は円柱部に装着されるものである。止水手段の外径ｄがコンクリート埋設物の孔径Ｄより小さい場合には、止水手段を止水栓本体の軸部の傾斜部に装着する。止水手段と軸部の傾斜部との間に接着剤を用いても良い。
【００１４】
【発明の実施の形態】
実施形態１
以下、この発明の実施の形態を図面とともに説明する。図１はこの発明の実施形態１による止水栓本体の正面図、止水手段としての止水リングの断面図、及びコンクリート埋設物であるスリーブの埋設状態での断面図であり、スリーブ１はコンクリート構造物２の外表面側に埋設され、その深部側には金属ナットや鉄筋などの金属部材も埋設されている。スリーブ１は無機質材からなり、円筒状で孔１ａを有する。止水栓本体３はセラミックス（アルミナセラミックス、ムライト等）やモルタルなどの無機質材からなり、径が大きい鍔部３ａと軸部３ｂとから構成され、軸部３ｂは鍔部３ａ側の先細り状の傾斜部３ｃと、傾斜部３ｃの先端に一体に形成された円柱状の円柱部３ｄとから形成される。傾斜部３ｃは直線状でも曲線状でも良く、曲線状の場合には外側に膨らんだ曲面状でも、内側に凹んだ曲面状でもよい。
【００１５】
４は止水手段である止水リングであり、水膨潤性の弾性体、例えば水膨潤性ゴムにより円筒状に形成され、図２、図３に示すように止水栓本体３の軸部３ｂの傾斜部３ｃ又は円柱部３ｄに装着され、止水栓５を形成する。その長さＬはスリーブ１の孔１ａの内径Ｄ×（０．５〜１．０）が良い。０．５以下では、孔１ａ内への装着時にそのガイド機能が充分でなく、止水栓５をスリーブ１の孔１ａに装着する際に止水栓本体３の先端が振れて装着し難い。１．０以上では材料を多く使用することとなり、不経済であるが、１．０以上でも支障はない。
【００１６】
スリーブ１は無機質材により形成されているので、孔１ａの内径に成形誤差が生じることがある。そこで、スリーブ１の孔１ａの内径Ｄが止水リング４の外径ｄに対してＤ≦ｄの場合には、図２に示すように、止水リング４を止水栓本体３の軸部３ｂの円柱部３ｄに位置させてスリーブ１に装着する。また，スリーブ１の孔１ａの内径Ｄが止水リング４の外径ｄに対してＤ＞ｄの場合には、図３に示すように、止水リング４を止水栓本体３の軸部３ｂの傾斜部３ｃに位置させてスリーブ１に装着し、外径ｄが大きくなるようにして、スリーブ１の内径Ｄの寸法誤差に対応できるようにしている。即ち、スリーブ１の内径Ｄの寸法誤差が吸収され、スリーブ１と止水リング４とが密着し、装着後に止水栓５がスリーブ１から抜け出ることがない。又、止水栓５のスリーブ１の孔１ａ内への装着が容易で、かつ止水効果が確実に得られる。止水リング４と円柱部３ｄとの間、及び止水リング４と傾斜部３ｃとの間に接着剤を用いて固定してもよい。
【００１７】
上記構成において、水膨潤性の弾性体からなる止水リング４を、図２、図３に示すように、止水栓本体３の軸部３ｂの傾斜部３ｃ又は円柱部３ｄに装着して止水栓５を形成し、この止水栓５をスリーブ１の孔１ａ内に装着する。
【００１８】
実施形態１においては、無機質材からなるスリーブ１の孔１ａに止水栓５を装着しており、止水リング４は止水栓本体３と孔１ａとの間に装着され、しかも水膨潤性を有しているので、水分を吸収して膨張し、スリーブ１内への水分の浸入を防止することができ、スリーブ１よりコンクリート構造物２の深い部分に埋設された金属部材の水分による腐食を防止することができる。又、止水栓５が使用前に水に触れた場合、止水リング４のみが膨張して使用不能となるが、止水栓本体３は使用可能であるので、経済性が良い。さらに、止水効果を得るための寸法精度は止水リング４のみに要求され、止水栓本体３には要求されないので、製造が容易となる。
【００１９】
又、止水栓本体３は無機質材からなるので、高耐久性を具備する。また、止水リング４の長さＬをスリーブ１の孔１ａの径Ｄ×（０．５〜１．０）としたので、止水リング４のガイド機能が充分得られ、スリーブ１の孔１ａ内への止水栓５の装着が容易となるとともに、材料を過大に使用することがないので、経済的である。さらに、止水栓本体３の軸部３ｂに傾斜部３ｃと円柱部３ｄを形成したので、孔１ａの内径Ｄの不揃いがあった場合、止水リング４を傾斜部３ｃ又は円柱部３ｄに装着することにより、寸法誤差を吸収することができ、止水リング４の寸法精度もあまり要求されなくなる。そして、これらによって、耐久性の高いコンクリート構造物２が得られる。
【００２０】
図４は止水リング４の変形例を示し、止水リング４の先端側に傾斜部４ａを設けたものである。これによって、止水栓５をスリーブ１の孔１ａに装着する際、挿入が容易になる。なお、傾斜部４ａは直線状でも曲線状でもよい。
【００２１】
実施形態２
図５（ａ），（ｂ）は実施形態２によるインサート器具の型枠取付時及びコンクリート構造物埋設時の断面図である。まず図５（ａ）に示すように、型枠６を挿通した固定ボルト７をゴムパッキン８、スリーブ１、接続環９を介してインサート１０の雌ねじ部１０ａに螺合し、型枠７の内側にゴムパッキン８、スリーブ１、接続環９及びインサート１０を取り付ける。接続環９はポリプロピレン等からなり、厚さは０．５〜１．０ｍｍである。接続環９は、スリーブ１の内周に嵌合する内筒部９ａと、インサート１０の外周に嵌合する外筒部９ｂと、その間にスリーブ１の径方向外側に突出した止水リング部９ｃを有する。次に、図５（ｂ）に示すように、型枠６の内側にコンクリートを打設し、コンクリートが固化してコンクリート構造物２となった後、固定ボルト７、型枠６、ゴムパッキン８を除去する。その後、止水栓５をスリーブ１の孔１ａ内に装着する。止水リング４の長さは実施形態１と同様に決定される。
【００２２】
実施形態２においても、スリーブ１の孔１ａに止水栓５が装着されているので、水分が孔１ａ内に浸入した際には止水リング４が水分を吸収して膨張し、水分の浸入を防止する。又、スリーブ１の外周側を通った水分の浸入は、接続筒９の止水リング部９ｃによって阻止される。その他の効果は、実施形態１と同様である。
【００２３】
実施形態３
図６は実施形態３によるコンクリートセパレータのコンクリート構造物埋設時の断面図を示し、実施形態２と同様にスリーブ１，接続環９、インサート１３及び鉄筋１４をコンクリート構造物２内に埋設する。インサート１３の雌ねじ部１３ａには鉄筋１４の端部の雄ねじ部１４ａが螺合してある。この場合にも、スリーブ１の孔１ａ内への水分の浸入を防止するために、止水栓５を孔１ａに装着する。これによって、スリーブ１内への水分の浸入は防止され、またスリーブ１の外周側を通る水分の浸入は接続環９の止水リング部９ｃによって阻止される。その他の効果は実施形態１と同様である。
【００２４】
実施形態４
図７は実施形態４によるインサート器具のコンクリート構造物埋設時の断面図を示し、コンクリート構造物２内には、その孔２ａを介してインサート１０が埋設されており、スリーブ１は設けられていない。この場合も、孔２ａ内に止水栓５を装着することにより、孔２ａ及びインサート１０内への水分の浸入を防止することができる。
【００２５】
【発明の効果】
以上のようにこの発明によれば、コンクリート構造物の外表面に開口した孔を備えたコンクリート埋設物の孔内に、止水栓本体と、水膨潤性を有し、止水栓本体と該孔との間に装着される止水手段とからなる止水栓を装着しており、該孔内に水分が浸入した際には止水手段が水分を吸収して膨張するので、コンクリート埋設物内への水分の浸入は防止される。このため、コンクリート構造物内のさらに深い部分に埋設された金属部材が腐食するのを防止することができる。又、止水栓が水に触れた場合、止水手段は膨張して使用不能となり、除去交換する必要があるが、止水栓本体は水に触れても膨張しないので、使用可能で経済的である。さらに、コンクリート埋設物の孔に寸法誤差が生じても、止水手段はこれを吸収することができ、止水栓は寸法精度をあまり要求されないので、製作が容易である。
【００２６】
又、止水栓本体を無機質材により形成したので、高耐久性を有する。
【００２７】
さらに、止水手段の先端側に先細り状の傾斜部を形成したので、寸法誤差を吸収して隙間が生じないようにして、装着時の脱落と水の浸入を防止することができる。また、止水栓のコンクリート埋設物への挿入が容易となる。
【００２８】
又、止水手段を止水栓本体の軸部の傾斜部又は円柱部に装着しており、止水手段の外径がコンクリート埋設物の孔径以上の場合には、止水手段を円柱部に装着し、また止水手段の外径がコンクリート埋設物の孔径より小さい場合には、止水手段を傾斜部に装着することにより、止水栓のコンクリート埋設物の孔内への装着を、容易にかつ止水効果が確実に得られるようにすることができる。
【図面の簡単な説明】
【図１】この発明の実施形態１による止水栓本体の正面図、止水リングの断面図、及びスリーブの埋設状態での断面図である。
【図２】実施形態１による止水リングを止水栓本体の円柱部に装着した場合の止水栓をスリーブ内へ装着した状態の断面図である。
【図３】実施形態１による止水リングを止水栓本体の傾斜部に装着した場合の止水栓をスリーブ内へ装着した状態の断面図である。
【図４】実施形態１による止水リングの変形例を示す断面図である。
【図５】実施形態２によるインサート器具の型枠取付時及びコンクリート構造物埋設時の断面図である。
【図６】実施形態３によるコンクリートセパレータのコンクリート構造物埋設時の断面図である。
【図７】実施形態４によるインサート器具のコンクリート構造物埋設時の断面図である。
【符号の説明】
１…スリーブ
１ａ，２ａ…孔
２…コンクリート構造物
３…止水栓本体
３ａ…鍔部
３ｂ…軸部
３ｃ，４ａ…傾斜部
３ｄ…円柱部
４…止水リング
５…止水栓
【図１】
2004019275.tif 000003
【図２】
2004019275.tif 000004
【図３】
2004019275.tif 000005
【図４】
2004019275.tif 000006
【図５】
2004019275.tif 000007
【図６】
2004019275.tif 000008
【図７】
2004019275.tif 000009